(57)【要約】【課題】  シューズとしてのクッション性の機能を損なうことなく、個々のユーザーが靴底の交換を安価にかつ簡単に行うことができるソール構造体を提供する。【解決手段】  シューズのソール構造体１において、上方に配設され、硬質弾性部材から構成された上部プレート２と、上部プレート２の下方に配設され、硬質弾性部材から構成されるとともに、シューズの前後方向に進む波形状を有し、上部プレート２に対してネジ１０を介して着脱自在な下部波形プレート３とを設ける。下部波形プレート３の波形状の前後端の上側凸部３３、３４および上凸状膨出部３２が上部プレート２に当接しており、これらの当接領域がネジ１０により連結されている。この構成により、下部波形プレート３は、シューズに対して交換可能になっている。【選択図】  図３
2011010946.tif 000002
【特許請求の範囲】
【請求項１】
シューズのソール構造体であって、
上方に配設され、硬質弾性部材から構成された上部プレートと、
前記上部プレートの下方に配設され、硬質弾性部材から構成されるとともに、シューズの前後方向に進む波形状を有し、前記上部プレートに対して締結具を介して着脱自在に設けられていることにより、当該シューズに対して交換可能な下部波形プレートと、
を備えたシューズのソール構造体。
【請求項２】
請求項１において、
前記下部波形プレートの前記波形状が前後方向に複数の上側凸部を有しており、前記複数の前記上側凸部のうちの少なくとも一部が前記締結具を介して前記上部プレートに連結されている、
ことを特徴とするシューズのソール構造体。
【請求項３】
請求項１において、
前記下部波形プレートがシューズの踵領域に設けられ、下方に凸状に膨出する少なくとも２つの下凸状膨出部を有するとともに、前後方向に隣り合う前記各下凸状膨出部間に上凸状膨出部を有しており、前記下部波形プレートの前後端部における各上側凸部、および前記上凸状膨出部が前記締結具を介して前記上部プレートに着脱自在に設けられている、
ことを特徴とするシューズのソール構造体。
【請求項４】
請求項１において、
前記上部プレートがシューズの前後方向に進む波形状を有している、
ことを特徴とするシューズのソール構造体。
【請求項５】
請求項４において、
前記上部プレートの前記波形状が前記下部波形プレートの前記波形状と逆位相を有しており、前記上部プレートの前記波形状の下側凸部および前記下部波形プレートの前記波形状の前記上側凸部の少なくとも一部が、前記締結具を介して互いに固着されている、
ことを特徴とするシューズのソール構造体。
【請求項６】
請求項４において、
前記上部プレートの前記波形状が前記下部波形プレートの前記波形状と同位相を有しており、前記上部プレートの前記波形状の上側凸部および前記下部波形プレートの前記波形状の前記上側凸部の少なくとも一部が、前記締結具を介して互いに固着されている、
ことを特徴とするシューズのソール構造体。
【請求項７】
請求項１において、
前記下部波形プレートの前記波形状の上側凸部の稜線の少なくとも一部が前記上部プレートに当接しており、当該当接領域が前記締結具を介して互いに連結されている、
ことを特徴とするシューズのソール構造体。
【請求項８】
請求項１において、
前記上部プレートがシューズの幅方向に進む波形状を有しており、前記上部プレートの前記波形状の下側凸部および前記下部波形プレートの前記波形状の前記上側凸部の接触領域の少なくとも一部が、前記締結具を介して互いに固着されている、
ことを特徴とするシューズのソール構造体。
【請求項９】
請求項１において、
前記上部プレートの波形状が、シューズの前後方向に進む波形状およびシューズの幅方向に進む波形状の双方の組合せから構成されている、
ことを特徴とするシューズのソール構造体。
【請求項１０】
請求項１において、
前記締結具が、前記下部波形プレートに形成された貫通孔を下方から挿通する雄ネジ部と、前記上部プレートに設けられかつ前記雄ネジ部が螺合する雌ネジ部とから構成されている、
ことを特徴とするシューズのソール構造体。
【請求項１１】
請求項１において、
前記締結具が、前記上部プレートおよび前記下部波形プレートの前後方向の相対移動を許容している、
ことを特徴とするシューズのソール構造体。
【請求項１２】
請求項１１において、
前記締結具が、前記下部波形プレートに形成されかつ前後方向に延びる長孔状の貫通孔を挿通する雄ネジ部と、前記上部プレートに形成されかつ前記雄ネジ部が螺合する雌ネジ部とから構成されている、
ことを特徴とするシューズのソール構造体。
【請求項１３】
請求項１において、
前記締結具が、前記上部プレートまたは下部波形プレートの一方に形成された係止突起部と、前記上部プレートまたは下部波形プレートの他方に形成され、前記係止突起部が係脱自在に係止し得る係止溝部とから構成されている、
ことを特徴とするシューズのソール構造体。
【請求項１４】
請求項１において、
前記上部プレートおよび前記下部波形プレートの前記締結具による締結個所が、前記上部プレートおよび前記下部波形プレートの外周側に配置されている、
ことを特徴とするシューズのソール構造体。
【請求項１５】
請求項２において、
前記下部波形プレートの前記波形状の前記上側凸部の前記少なくとも一部と前記上部プレートとの当接領域が、シューズの前後方向に延びている、
ことを特徴とするシューズのソール構造体。
【請求項１６】
請求項１において、
前記下部波形プレートと前記上部プレートとの間には、硬質弾性部材から構成され、シューズの前後方向に進む波形状を有するとともに、当該波形状の下面が下部波形プレートの上面に沿って配設されている中間波形プレートが設けられており、中間波形プレートは、前記下部波形プレートとともに前記上部プレートに対して締結具を介して着脱自在に設けられている、
ことを特徴とするシューズのソール構造体。
【請求項１７】
請求項１６において、
前記中間波形プレートが、シューズの内甲側および外甲側にそれぞれ配設された内甲側波形プレート部および外甲側波形プレート部から構成されており、前記内甲側波形プレート部および外甲側波形プレート部がシューズ幅方向に分離されている、
ことを特徴とするシューズのソール構造体。
【請求項１８】
請求項１６において、
前記上部プレートと前記下部波形プレートとの間に空隙が形成されており、当該空隙内には軟質弾性部材が挿入されている、
ことを特徴とするシューズのソール構造体。
【発明の詳細な説明】
【技術分野】
【０００１】
本発明は、シューズ用ソール構造体に関し、詳細には、シューズとしてのクッション性の機能を損なうことなく、個々のユーザーが靴底の交換を安価に行うことができる、とくにスポーツシューズに好適のソール構造体に関する。
【背景技術】
【０００２】
靴底を交換可能なものとして、例えば特開平７−２０４００７号公報に示すような靴が提案されている。この靴は、靴底の踵部位に固定された固定台と、これに係止具を介して着脱自在に取り付けられる踵部材とを有している（図１および段落［００１３］〜［００１４］参照）。
【０００３】
また、特開平９−７５１０７号公報に記載された靴においては、靴下面を挿通するネジが設けられており、ヒールが当該ネジにより靴下面に着脱自在に取り付けられている（図１ないし図３、ならびに段落［００３０］および［００３２］参照）。
【発明の概要】
【発明が解決しようとする課題】
【０００４】
上記特開平７−２０４００７号公報に示すものにおいては、踵部材を靴底に取り付けるために、固定台が別途必要となるので、構造が複雑となり、高価になる。また、靴部材が固定台を介して靴底に取り付けられるため、踵着地時のクッション性が低下する。
【０００５】
また、上記特開平９−７５１０７号公報に示すものでは、ヒールの交換時には、ヒール全体を交換する必要があるため、コスト高になって、ユーザーの負担が大きい。
【０００６】
その一方、とくにスポーツシューズにおいて、最近、ユーザーの要求が多様化しており、個々のユーザーの体重や走法、走行姿勢・動作の違いに対応したシューズが求められている。しかしながら、シューズの細分化したラインアップを揃えるとなると、メーカーや店舗において多数の在庫を抱えることになって、コストアップにつながる。また、購入したシューズを実際に使用した後で、クッション性等の機能がユーザーの好みに合わなかった場合に、ユーザーがシューズを買い換えなければならないとすれば、ユーザーの負担が大きい。
【０００７】
さらに、最近、例えばマラソンやウォーキングの競技において、１日に数十キロを走行（または歩行）する大会もあり、十分なトレーニングを積んでいない競技者がこのような大会に参加するケースも増えている。このようなケースでは、競技の途中で足の負担を軽減するために、競技者がクッション性の異なるシューズに履き替えたい場合もあり、このような場合に、別のシューズを携帯しなければならないとすると、競技者の負担が大きい。また、例えば登山において、上りでは、踵が高く反発性が高い方が登山者が楽に歩行でき、逆に、下りでは、踵の衝撃吸収性が高い方が登山者の足の負担を軽減できるが、このような場合に、登山者が上りと下りで別のシューズを履き分けるとすれば、登山者が二種類のシューズを用意する必要があり、登山者の負担が大きい。
【０００８】
本発明は、このような従来の実情に鑑みてなされたもので、本発明が解決しようとする課題は、個々のユーザーが靴底の交換を簡単に行うことができ、しかも、シューズとしてのクッション性の機能を損なうことなく、個々のユーザーが靴底の交換を安価に行うことができるシューズ用ソール構造体を提供しようとしている。
【課題を解決するための手段】
【０００９】
請求項１の発明に係るシューズ用ソール構造体は、上方に配設され、硬質弾性部材から構成された上部プレートと、上部プレートの下方に配設され、硬質弾性部材から構成されるとともに、シューズの前後方向に進む波形状を有し、上部プレートに対して締結具を介して着脱自在に設けられていることにより、当該シューズに対して交換可能な下部波形プレートとを備えている。
【００１０】
請求項１の発明においては、シューズの着地時に、接地面から下部波形プレートに衝撃荷重が作用すると、下部波形プレートの波形状が扁平またはより平坦状となるように変形することにより、衝撃荷重が吸収・緩和されてクッション性が確保される。
【００１１】
この場合には、下部波形プレートを上部プレートに取り付ける際に、固定台等の取付台を用いることなく、下部波形プレートが上部プレートに取り付けられるので、構造を簡略化でき、コストを低減できるとともに、クッション性を維持できる。また、この場合、ソールの交換時には、上部プレートおよび下部波形プレートの双方を交換することなく、下部波形レートのみを交換すればよいので、コストをさらに低減でき、ユーザーの負担を軽減できる。
【００１２】
しかも、この場合には、交換用の下部波形プレートとして、波形状の振幅を変えたり、クッション性、反発係数または衝撃吸収性の異なる素材を採用したりすることにより、機能の異なる複数のシューズを用意する必要がなくなり、ユーザーの負担を一層軽減できる。
【００１３】
請求項２の発明では、請求項１において、下部波形プレートの波形状が前後方向に複数の上側凸部を有しており、複数の上側凸部のうちの少なくとも一部が締結具を介して上部プレートに連結されている。
【００１４】
請求項２の発明によれば、下部波形プレートの波形状における複数の上側凸部のうちの一部が締結具を介して上部プレートに連結され、複数の上側凸部の残りの部分が上部プレートに連結されていない場合、荷重の作用時には、下部波形プレートの波形状における複数の上側凸部の当該残りの部分は、上部プレートに拘束されずに、上部プレートの下面に沿って滑動する。これにより、下部波形プレートの前後方向および上下方向の大きな変形が容易になって、クッション性を向上できる。この場合には、体重の軽い競技者に好適のシューズを実現できる。
【００１５】
また、下部波形プレートの波形状における複数の上側凸部のすべてが締結具を介して上部プレートに連結されている場合には、下部波形プレート全体が上部プレートに拘束されて、荷重作用時の圧縮硬度が高くなるので、体重の重い競技者に好適のシューズを実現できる。
【００１６】
請求項３の発明では、請求項１において、下部波形プレートがシューズの踵領域に設けられ、下方に凸状に膨出する少なくとも２つの下凸状膨出部を有するとともに、前後方向に隣り合う各下凸状膨出部間に上凸状膨出部を有しており、下部波形プレートの前後端部における各上側凸部、および上凸状膨出部が締結具を介して上部プレートに着脱自在に設けられている。
【００１７】
この場合には、使用中に摩耗の程度が著しいシューズ踵領域の靴底の交換を簡単にかつ安価に行うことができる。また、この場合、下部波形プレートが複数の下凸状膨出部を有しているので、シューズの踵領域のクッション性を向上できる。
【００１８】
上部プレートは、請求項４の発明に記載されているように、下部波形プレートと同様に、シューズの前後方向に進む波形状を有していてもよい。この場合には、シューズのクッション性または屈曲性を調整できる。
【００１９】
請求項５の発明では、請求項４において、上部プレートの波形状が下部波形プレートの波形状と逆位相を有しており、上部プレートの波形状の下側凸部および下部波形プレートの波形状の上側凸部の少なくとも一部が、締結具を介して互いに固着されている。
【００２０】
この場合には、上部プレートの上側凸部および下部波形プレートの下側凸部間に紡錘状の大きな空隙が形成されており、着地の際の衝撃荷重の作用時には、上部プレートおよび下部波形プレートの双方が圧縮変形することになるので、シューズのクッション性を向上できる。また、この場合、着地時における下部波形プレートからの突上げは、上部プレートにおいて前後方向に隣り合う各上側凸部間の下側凸部に作用するので、上部プレートへの突上げを分散・緩和できる。このようなソール構造体は、シューズのとくに踵領域に好適である。
【００２１】
請求項６の発明では、請求項４において、上部プレートの波形状が下部波形プレートの波形状と同位相を有しており、上部プレートの波形状の上側凸部および下部波形プレートの波形状の上側凸部の少なくとも一部が、締結具を介して互いに固着されている。
【００２２】
この場合には、上部プレートおよび下部波形プレートの各上側凸部および各下側凸部が前後方向の同じ位置に配置されるので、シューズの屈曲性を向上できる。このようなソール構造体は、シューズのとくに前足領域に好適である。
【００２３】
請求項７の発明では、請求項１において、下部波形プレートの波形状の上側凸部の稜線の少なくとも一部が上部プレートに当接しており、当該当接領域が締結具を介して互いに連結されている。
【００２４】
すなわち、この場合には、下部波形プレートの波形状の上側凸部の稜線が幅方向全体にわたって上部プレートに当接しておらず、例えば、下部波形プレートの上側凸部の稜線を、足の外周に対応する位置においてのみ上部プレートに当接させるようにすれば、着地時の衝撃荷重による足への突上げを軽減できる。
【００２５】
請求項８の発明では、請求項１において、上部プレートがシューズの幅方向に進む波形状を有しており、上部プレートの波形状の下側凸部および下部波形プレートの波形状の上側凸部の接触領域の少なくとも一部が、締結具を介して互いに固着されている。
【００２６】
この場合には、上部プレートおよび下部波形プレートの各波形状の稜線が上部プレートおよび下部波形プレート間で互いに交差しており、これにより、シューズの屈曲を規制できる。このようなソール構造体は、シャンク効果を要求される、とくにシューズ中足領域に好適である。
【００２７】
請求項９の発明では、請求項１において、上部プレートの波形状が、シューズの前後方向に進む波形状およびシューズの幅方向に進む波形状の双方の組合せから構成されている。
【００２８】
この場合には、上部プレートにおいて、シューズの前後方向に進む波形状を有する部分では、その位相に応じて、下部波形プレートと逆位相であればシューズのクッション性を向上でき、下部波形プレートと同位相であればシューズの屈曲性を向上できる。また、上部プレートにおいて、シューズの幅方向に進む波形状を有する部分では、シューズの屈曲性を規制できる。
【００２９】
請求項１０の発明では、請求項１において、締結具が、下部波形プレートに形成された貫通孔を下方から挿通する雄ネジ部と、上部プレートに設けられかつ雄ネジ部が螺合する雌ネジ部とから構成されている。
【００３０】
この場合、下部波形プレートを上部プレートに取り付ける際には、上部プレートの下面に下部波形プレートを配設した状態で、締結具の雄ネジ部を下部波形プレートの下方から下部波形プレートの貫通孔に挿通させ、当該雄ネジ部を上部プレートの雌ネジ部に螺合させて、雄ネジ部をねじ込めばよい。また、下部波形プレートを上部プレートから取り外す際には、締結具の雄ネジ部を緩めて上部プレートの雌ネジ部から外せばよい。
【００３１】
ところで、上述した特開平９−７５１０７号公報に記載のものでは、ネジの頭部が靴内部に配置され、ネジの雄ネジ部が、ヒール上面に形成された雌ネジ部に螺合しており、靴内部において、ネジの頭部の上には、内側靴底（つまり中敷）が配設されている。この場合、中敷の直下にネジ頭部が位置しているので、靴を着用したときに、着用者が足裏にネジ頭部を感じ、足当たり感が悪くなる。また、この場合、ヒールを交換する際には、靴内部の中敷をめくって（または外して）ネジを緩める必要があり、さらに、ヒール交換後は、中敷を元の位置に戻す必要があり、作業が面倒である。
【００３２】
これに対して、本願の請求項１０の発明によれば、締結具の雄ネジ部が下部波形プレートの下方から下部プレートの貫通孔に挿入されるので、雄ネジ部の締結および弛緩は、シューズ外部から行えばよく、シューズ内部から中敷を外して雄ネジ部を操作する必要はない。これにより、締結具の締結および弛緩の作業を容易に行え、下部波形プレートの着脱を容易に行える。また、雄ネジ部の頭部がシューズ内部に配置されないので、シューズ着用時の足当たり感を損なうこともない。
【００３３】
請求項１１の発明では、請求項１において、締結具が上部プレートおよび下部波形プレートの前後方向の相対移動を許容している。
【００３４】
この場合には、下部波形プレートが上部プレートに対して前後方向に移動できるので、下部波形プレートの前後方向および上下方向の変形が容易になって、クッション性を向上できる。
【００３５】
請求項１２の発明では、請求項１１において、締結具が、下部波形プレートに形成されかつ前後方向に延びる長孔状の貫通孔を挿通する雄ネジ部と、上部プレートに形成されかつ雄ネジ部が螺合する雌ネジ部とから構成されている。
【００３６】
この場合には、締結具の雄ネジ部が下部波形プレートの長孔状の貫通孔に沿って前後方向にスライドすることで、下部波形プレートが上部プレートに対して前後方向に移動する。
【００３７】
請求項１３の発明では、請求項１において、締結具が、上部プレートまたは下部波形プレートの一方に形成された係止突起部と、上部プレートまたは下部波形プレートの他方に形成され、係止突起部が係脱自在に係止し得る係止溝部とから構成されている。
【００３８】
請求項１３の発明によれば、係止突起部が係止溝部に係止することで、下部波形プレートが上部プレートに取り付けられ、係止突起部が係止溝部から外れることで、下部波形プレートが上部プレートから取り外される。この場合には、ネジを締め付けたりまた緩めたりする作業が不要となるので、下部波形プレートの着脱を一層簡単に行えるようになる。
【００３９】
請求項１４の発明では、請求項１において、上部プレートおよび下部波形プレートの締結具による締結個所が、上部プレートおよび下部波形プレートの外周側に配置されている。
【００４０】
この場合には、接地面からの荷重は上部プレートの外周部分に作用して、上部プレートの中央部分には作用しなくなるので、着用者の足裏中央に対する着地時の突上げ感を軽減できる。
【００４１】
請求項１５の発明では、請求項１において、下部波形プレートの波形状の上側凸部の少なくとも一部と上部プレートとの当接領域がシューズの前後方向に延びている。
【００４２】
この場合には、接地面からの衝撃荷重が下部波形プレートを介して上部プレートに作用した際に、衝撃荷重を前後方向に延びる当接領域で分散できるので、上部プレートから足への突上げ感を軽減できる。しかも、この場合には、当接領域がシューズ幅方向ではなく、シューズ前後方向に延びているので、当接領域を上部プレートの中央部ではなく、外周側に配置することにより、衝撃荷重が足裏中央に作用するのを回避できる。
【００４３】
請求項１６の発明では、請求項１において、下部波形プレートと上部プレートとの間には、硬質弾性部材から構成され、シューズの前後方向に進む波形状を有するとともに、当該波形状の下面が下部波形プレートの上面に沿って配設されている中間波形プレートが設けられており、中間波形プレートは、下部波形プレートとともに上部プレートに対して締結具を介して着脱自在に設けられている。
【００４４】
この場合には、上部プレートおよび下部波形プレート間に中間波形プレートが設けられるので、中間波形プレートとして、下部波形プレートと異なる素材のものを用いたり、また板厚を変えたりすることにより、ソール構造体としてのクッション性（つまり衝撃吸収性および反発性）を調整できる。
【００４５】
例えば登山の際には、上り用および下り用として、剛性の異なる２種類の中間波形プレートを用意しておき、上りおよび下りで中間波形プレートを適宜使い分ける、例えば、上りでは反発性の高い方を用い、下りでは衝撃吸収性の高い方を用いることにより、着用者の足への負担を軽減できる。あるいは、上り用および下り用として、踵部位の板厚の異なる２種類の中間波形プレートを用意しておき、上りおよび下りで中間波形プレートを適宜使い分ける、例えば、上りでは踵部位の板厚の厚い方を用い、下りでは踵部位の板厚の薄い方を用いる、または、山の傾斜に合わせて使い分けることにより、着用者の歩行が楽に行えるようになる。
【００４６】
さらに、この場合には、下部波形プレートの交換時に同時に中間波形プレートをも交換できるばかりでなく、下部波形プレートまたは中間波形プレートをそれぞれ単体で交換することも可能であり、これにより、ユーザーの多様な好みに応じたシューズを簡単に製作できる。
【００４７】
請求項１７の発明では、請求項１６において、中間波形プレートが、シューズの内甲側および外甲側にそれぞれ配設された内甲側波形プレート部および外甲側波形プレート部から構成されており、内甲側波形プレート部および外甲側波形プレート部がシューズ幅方向に分離されている。
【００４８】
この場合には、内甲側波形プレート部および外甲側波形プレート部を互いに剛性が異なる素材から構成することができ、これにより、シューズの内甲側および外甲側間で着地時の圧縮硬度を簡単に変えられるようになる。その結果、着用者の足の過回内（オーバプロネーション）または過回外（オーバサピネーション）に対応したシューズを簡単に製作できる。
【００４９】
請求項１８の発明では、請求項１６において、上部プレートと下部波形プレートとの間に空隙が形成されており、当該空隙内に軟質弾性部材が挿入されている。
【００５０】
この場合には、下部波形プレートの弾性変形時には、空隙内の軟質弾性部材も弾性変形することになるので、軟質弾性部材として、例えば、衝撃吸収性に優れた合成ゴムや合成樹脂またはその発泡体などを採用することで、クッション性を調整できる。
【発明の効果】
【００５１】
以上のように、本発明に係るソール構造体によれば、上部プレートと、上部プレートの下方に配設され、上部プレートに対して締結具を介して着脱自在な下部波形プレートとを設けたので、下部波形プレートを上部プレートに取り付ける際に、固定台等の取付台を用いることなく、下部波形プレートが上部プレートに取り付けられるので、構造を簡略化でき、コストを低減できるとともに、クッション性を維持できる。また、この場合、ソールの交換時には、上部プレートおよび下部波形プレートの双方を交換することなく、下部波形プレートのみを交換すればよいので、コストをさらに低減でき、ユーザーの負担を軽減できる。しかも、この場合には、交換用の下部波形プレートとして、波形状の振幅を変えたり、クッション性、反発係数または衝撃吸収性の異なる素材を採用したりすることにより、機能の異なる複数のシューズを用意する必要がなくなり、ユーザーの負担をさらに軽減できる。
【図面の簡単な説明】
【００５２】
【図１】（ａ）は本発明の第１の実施例によるシューズ用ソール構造体の底面図、（ｂ）は（ａ）のソール構造体の外甲側側面図である。
【図２】図１（ａ）のII-II線（シューズ前後方向中心線）断面図である。
【図３】図１のソール構造体の後足部領域の分解組立図である。
【図３Ａ】図３のIIIA-IIIA線断面図である。
【図４】（ａ）は本発明の第２の実施例によるシューズ用ソール構造体の底面図、（ｂ）は（ａ）のソール構造体の外甲側側面図、（ｃ）は（ａ）のＣ−Ｃ線（シューズ前後方向中心線）断面図であって、ソール構造体の上部プレートがシューズ踵部にのみ設けられた例を示している。
【図５】（ａ）は本発明の第２の実施例によるシューズ用ソール構造体の底面図、（ｂ）は（ａ）のソール構造体の外甲側側面図、（ｃ）は（ａ）のＣ−Ｃ線（シューズ前後方向中心線）断面図であって、ソール構造体の上部プレートがシューズ前足部にのみ設けられた例を示している。
【図６】（ａ）は本発明の第３の実施例によるシューズ用ソール構造体の底面図、（ｂ）は（ａ）のソール構造体の外甲側側面図、（ｃ）は（ａ）のＣ−Ｃ線（シューズ前後方向中心線）断面図であって、下部波形プレートがシューズの踵部および前足部に分離して設けられた例を示している。
【図７】（ａ）は本発明の第３の実施例によるシューズ用ソール構造体の底面図、（ｂ）は（ａ）のソール構造体の外甲側側面図、（ｃ）は（ａ）のＣ−Ｃ線（シューズ前後方向中心線）断面図であって、下部波形プレートがシューズの踵部から中足部をへて前足部まで延設されている例を示している。
【図７Ａ】図７のソール構造体における下部波形プレートの平面図である。
【図７Ｂ】図７のソール構造体における下部波形プレートの斜視図である。
【図８】（ａ）は本発明の第４の実施例によるシューズ用ソール構造体の底面図、（ｂ）は（ａ）のソール構造体の外甲側側面図、（ｃ）は（ａ）のＣ−Ｃ線（シューズ前後方向中心線）断面図であって、下部波形プレートおよび上部プレートがシューズの踵部および前足部に分離して設けられた例を示している。
【図９】本発明の第５の実施例によるシューズ用ソール構造体における上部プレートおよび下部波形プレートの概略構成図であって、上部プレートの波形状が下部波形プレートの波形状と逆位相の例を示している。
【図１０】本発明の第５の実施例によるシューズ用ソール構造体における上部プレートおよび下部波形プレートの概略構成図であって、上部プレートの波形状が下部波形プレートの波形状と同位相の例を示している。
【図１１】本発明の第５の実施例による上部プレートおよび下部波形プレートの概略構成図であって、上部プレートが平坦状である場合を示している。
【図１２】本発明の第６の実施例によるシューズ用ソール構造体における上部プレートおよび下部波形プレートの概略構成部分図であって、上部プレートが幅方向に進む波形状を有しかつ下部波形プレートが前後方向に進む波形状を有している例を示している。
【図１３】図１２のXIII-XIII線断面図である。
【図１４】（ａ）は本発明の第７の実施例によるシューズ用ソール構造体の底面図、（ｂ）は（ａ）のソール構造体の外甲側側面図、（ｃ）は（ａ）のＣ−Ｃ線（シューズ前後方向中心線）断面図であって、上部プレートがシューズの前後方向および幅方向の双方に進む複合波形状を有している例を示している。
【図１５】図１４のソール構造体における上部プレートの底面図、（ｂ）は（ａ）の上部プレートの外甲側側面図、（ｃ）は（ａ）のＣ−Ｃ線（シューズ前後方向中心線）断面図である。
【図１５Ａ】図１５のソール構造体における上部プレートの斜視図である。
【図１６】図１５のXVI-XVI線断面図である。
【図１７】本発明の第８の実施例によるシューズ用ソール構造体における上部プレートおよび下部波形プレートの概略構成図であって、上部プレートが平坦状である場合を示している。
【図１８】本発明の第８の実施例によるシューズ用ソール構造体における上部プレートおよび下部波形プレートの概略構成図であって、上部プレートの波形状が下部波形プレートの波形状と逆位相の例を示している。
【図１９】本発明の第８の実施例によるシューズ用ソール構造体における上部プレートおよび下部波形プレートの概略構成図であって、上部プレートの波形状が下部波形プレートの波形状と同位相の例を示している。
【図２０】本発明の第９の実施例によるシューズ用ソール構造体における下部波形プレートのネジ取付部分の拡大断面図である。
【図２１】本発明の第１０の実施例によるシューズ用ソール構造体における上部プレートおよび下部波形プレートの締結具の変形例を示す図である。
【図２２】本発明の第１１の実施例によるシューズ用ソール構造体の後足部領域の分解組立図である。
【図２３】図２２のソール構造体における中間波形プレートの平面図である。
【図２４】本発明の第１１の実施例によるシューズ用ソール構造体のシューズ前後方向中心線断面図である。
【図２５】本発明の第１２の実施例によるシューズ用ソール構造体において、下部波形プレートを上方からみた斜視図である。
【発明を実施するための形態】
【００５３】
以下、本発明の実施例を添付図面に基づいて説明する。
【００５４】
＜第１の実施例＞
図１ないし図３Ａは、本発明の第１の実施例によるシューズ用ソール構造体を示している。なお、これらの図において、同一符号は同一または相当部分を示している。
【００５５】
図１および図２に示すように、このソール構造体１は、シューズの踵部Ｈから中足部Ｍをへて前足部Ｆまで延設された、硬質弾性部材製の上部プレート２と、シューズの踵部Ｈにおいて上部プレート２の下方に配置された、硬質弾性部材製の下部波形プレート３とを備えている。
【００５６】
上部プレート２は、踵部Ｈにおいては、ソール構造体の上方位置に配置されて平坦状に形成されており、前足部Ｆにおいては、ソール構造体の下方位置に配置されており、幅方向中央部分が平坦状に形成されるとともに（図２参照）、内甲側および外甲側部分が前後方向に進む波形状を有している（図１（ｂ）参照）。なお、図１（ｂ）では、上部プレート２の外甲側部分の波形状のみを示している。
【００５７】
下部波形プレート３は、シューズの前後方向（図１、図２上下方向）に進む波形状を有している。ここでは、下部波形プレート３は、各々下方に凸状に膨出しかつ前後方向に隣り合う２つの下凸状膨出部３０、３１と、これらの下凸状膨出部３０、３１の間において上方に凸状に膨出する上凸状膨出部３２とを有している。また、下部波形プレート３の前後端には、上側凸部（または上凸状膨出部）３３、３４が設けられている。この構成により、下部波形プレート３と上部プレート２との間には、空隙Ｃが形成されている。
【００５８】
シューズの前足部Ｆにおいて、上部プレート２の下面には、アウトソール４が接着等により固着されている。アウトソール４の下面には、防滑用の多数の溝４ａ（図１（ａ）では省略）が形成されている。シューズの踵部Ｈにおいて、下部波形プレート３の下面には、アウトソール５、６が接着等により固着されている。アウトソール５、６の下面にも同様に、防滑用の多数の溝５ａ、６ａ（図１（ａ）では省略）が形成されている。アウトソール５は踵部Ｈの前端側に配置され、アウトソール６は踵部Ｈの後端側に配置されており、アウトソール５の後端５０とアウトソール６の前端６０との間には、前後方向の間隙７が形成されている。間隙７は、下部波形プレート３の上凸状膨出部３２の位置に対応している。なお、上部プレート２および下部波形プレート３の下面にアウトソール４、５、６を固着するかわりに、上部プレート２および下部波形プレート３の下面に直接アウトソール意匠を形成するようにしてもよい。
【００５９】
上部プレート２の上面には、シューズの踵部Ｈから中足部Ｍをへて前足部Ｆまで延設された、軟質弾性部材製のミッドソール８が装着されている。上部プレート２は、接着等によりミッドソール８の下面に固着されている。ミッドソール８は、着用者の足裏に中敷等（図示せず）を介して当接する足裏当接面８ａと、足裏当接面８ａの幅方向両側縁部において上方（図２右方向）に立ち上がり、シューズのアッパー（図示せず）の左右両側面下部に接着される左右一対の巻上げ部８ｂとを有している。
【００６０】
上部プレート２および下部波形プレート３は、例えば、熱可塑性ポリウレタン（ＴＰＵ）やポリアミドエラストマー（ＰＡＥ）等の熱可塑性材料や、エポキシ樹脂や不飽和ポリエステル樹脂等の熱硬化性材料から構成されており、また、エチレン−酢酸ビニル共重合体（ＥＶＡ）やラバー等を用いて一体成形するようにしてもよい。
【００６１】
ミッドソール８は、例えば、エチレン−酢酸ビニル共重合体（ＥＶＡ）等の熱可塑性合成樹脂やその発泡体、ポリウレタン（ＰＵ）等の熱硬化性樹脂やその発泡体、またはブタジエンラバーやクロロプレンラバー等のラバー素材やその発泡体から構成されている。
【００６２】
図３に示すように、下部波形プレート３は、複数（ここでは６本）のネジ（締結具）１０により、上部プレート２に着脱自在に取り付けられている。ネジ１０は、マイナス溝が形成された頭部１０ａと、その下方に延びる雄ネジ部１０ｂとを有している。ここでは、ネジ１０として、マイナス溝付丸小ネジを例にとっているが、その他のネジを用いるようにしてもよい。
【００６３】
下部波形プレート３には、複数（ここでは６個）の貫通孔３ａが形成されている。これらの貫通孔３ａは、下部波形プレート３の前端側、前後方向中央部および後端側にそれぞれ２個ずつ設けられている。前端側の貫通孔３ａは、アウトソール５の前方に配置され、前後方向中央部の貫通孔３ａは、アウトソール５、６間の間隙７に配置され、後端側の貫通孔３ａは、アウトソール６の下方に配置されている。アウトソール６の後端側には、下部波形プレート３の貫通孔３ａと上下方向に整列する貫通孔６ｂが形成されている。また、各貫通孔３ａおよび６ｂは、シューズの踵部Ｈの外周に沿って設けられている。
【００６４】
上部プレート２の下面には、下部波形プレート３の各貫通孔３ａに対応する位置にそれぞれ配置され、ネジ１０が螺合し得る複数（ここで６個）の雌ネジ部（締結具）２ａが設けられている。図３Ａに示すように、上部プレート２の内部には、雌ネジ部２ａを有するナット部材１１が埋設されている。ナット部材１１は、例えばインサート成形により、上部プレート２に取り付けられている。また、ナット部材としてリベットを用いて、上部プレート２に固定するようにしてもよい。あるいは、ナット部材を用いずに、上部プレート２自体に雌ネジ部２ａを一体成形するようにしてもよい。
【００６５】
上部プレート２の前後方向中央部の雌ネジ部２ａは、上部プレート２に形成された隆起部２０に設けられている。隆起部２０は、下部波形プレート３の上凸状膨出部３２の位置に対応している。また、上部プレート２の踵後端の雌ネジ部２ａは、上部プレート２に形成された隆起部２１に設けられている。隆起部２１は、下部波形プレート３の上凸状膨出部３４の位置に対応している。各隆起部２０、２１には、上部プレート２の下面が当接する当接面２０ａ、２１ａがそれぞれ形成されている。
【００６６】
この構成により、下部波形プレート３の前後端の上側凸部（または上凸状膨出部）３３、３４および中央部の上凸状膨出部３２が、上部プレート２の下面および膨出部２０、２１に当接した状態で、各ネジ１０を介して上部プレート２に連結されている。
【００６７】
上述のように構成されるソール構造体１においては、下部波形プレート３を上部プレート２に装着する際に、固定台等の取付台を用いることなく、ネジ１０を締め付けることで下部波形プレート３が上部プレート２に取り付けられるので、構造を簡略化でき、コストを低減できるとともに、クッション性を維持できる。ソール交換の際には、上部プレート２および下部波形プレート３の双方を交換することなく、ネジ１０を緩めて外すことで下部波形レート３のみを交換すればよいので、コストをさらに低減でき、ユーザーの負担を軽減できる。このとき、下部波形プレート３の下面にアウトソール５、６を設けずに、下部波形プレート３の下面に直接アウトソール意匠を形成している場合には、部品点数を削減でき、ソール構造体１の組立てが一層容易に行える。
【００６８】
また、この場合、ソールの交換時には、シューズ内部から中敷等を外してネジを取り付ける必要がなく、下部波形プレート３の下面側（つまりシューズ外部のアウトソール側）からネジ１０の雄ネジ部１０ｂを挿入すればよいので、ソール交換を簡単に行なえる。なお、このとき、ネジ１０の頭部１０ａがシューズ内部に配置されないので、シューズ着用時の足当たり感を損なうこともない。
【００６９】
しかも、この場合には、特許第４０２０９５３号公報に記載されるような柱状の弾性ブロック部材を用いて上下部プレートを連結する場合に比べて、横断面積の小さなネジを用いて強固な結合が可能になるので、上下部プレートの各波形状の変形に悪影響を及ぼすことなく、変形をスムーズに行なえ、クッション性を向上できる。また、この場合には、上下部プレートの接合面で荷重を直接分散させることができるので、柱状の弾性ブロック部材の弾性変形を利用するものに比べて、安定性を向上できる。さらに、上下部プレートの成形時には、２面割の簡単な金型構造を採用できるので、製造コストを低減できる。なお、上下部プレートのいずれかがシューズ全長にわたって延設されている場合のみならず、シューズ全長にわたって延設されていない（例えば、シューズの前後で分割されるとともに、前後方向に間隔を空けて配置され、または前後に一部オーバラップして配置されている）場合においても、これをサイズ長の異なるシューズに兼用することが可能である。
【００７０】
さらに、この場合には、交換用の下部波形プレート３として、波形状の振幅を変えたり、クッション性、反発係数または衝撃吸収性の異なる素材を採用したりすることにより、機能の異なる複数のシューズを用意する必要がなくなるので、ユーザーの負担を一層軽減できる。
【００７１】
また、この場合には、下部波形プレート３が上部プレート２の下面の外周側に配置された隆起部２０、２１を介して上部プレート２に取り付けられており、下部波形プレート３の波形状の上凸状膨出部および上側凸部における幅方向の稜線は、内甲側および外甲側部分のみが上部プレート２に当接しており、踵中央部分は上部プレート２に当接しておらず、上部プレート２から離れている。このため、シューズの踵着地時に下部波形プレート３に作用する衝撃荷重は、各隆起部２０、２１を介して上部プレート２の踵外周側部分に伝達され、上部プレート２の踵中央部分には伝達されない。これにより、踵着地時において、着用者の踵中央部分への突上げを抑制できる。
【００７２】
なお、この第１の実施例のように、下部波形プレート３がシューズの踵部に設けられている場合には、使用中に摩耗の程度が著しいシューズ踵部のソール交換を簡単にかつ安価に行なえるようになる。
【００７３】
また、このようなソール構造体１を備えたシューズにおいては、着地時に接地面から下部波形プレート３に衝撃荷重が作用すると、下部波形プレート３の波形状が扁平またはより平坦状となるように変形して空隙Ｃがクッションホールとして作用することで、衝撃荷重が吸収・緩和されてクッション性が確保される。
【００７４】
＜第２の実施例＞
前記第１の実施例では、上部プレート２が、シューズの踵部Ｈから中足部Ｍをへて前足部Ｆまで延設された例を示したが、本発明の適用はこれに限定されない。上部プレート２は、図４に示すように、シューズの踵部にのみ配設されていてもよく、または図５に示すように、シューズの前足部にのみ配設されていてもよい。図４および図５において、（ａ）はソール構造体の底面図、（ｂ）はその外甲側側面図、（ｃ）は（ａ）のＣ−Ｃ線（前後方向中心線）断面図である（以下の図５〜図９においても同様）。なお、これらの図において、前記第１の実施例と同一符号は、同一または相当部分を示している。
【００７５】
図４においては、上部プレート２の踵部前端には、雌ネジ部を有する隆起部２２が形成されており、下部波形プレート３１の踵部前端の上側凸部は隆起部２２に当接するとともに、雌ネジ部に螺合するネジ１０を介して隆起部２２に連結されている。
【００７６】
図５においては、上部プレート２の前足部には、その外周に沿って複数の隆起部２３が形成されており、これらの隆起部２３は、ネジ１０が螺合する雌ネジ部を有している。上部プレート２の下方に配設された下部波形プレート３２の前足部には、前後方向に進む波形状が形成されている。下部波形プレート３２の波形状は、下方に凸状に膨出する複数の下凸状膨出部３５と、前後方向に隣り合う各下凸状膨出部３５の間に形成された上凸状膨出部３６、および下部波形プレート３２の前後端に形成された上側凸部（または上凸状膨出部）３７、３８とを有している。
【００７７】
また、図４および図５に示す例では、下部波形プレート３の上凸状膨出部３２、３６および上側凸部３３、３４、３７、３８が当接する上部プレート２下面の各隆起部２０〜２３が前後方向に延在しているので、接地面からの衝撃荷重が下部波形プレート３を介して上部プレート２に作用した際に、衝撃荷重を各隆起部２０〜２３で分散できるので、上部プレート２から足への突上げ感を軽減できる。
【００７８】
＜第３の実施例＞
前記第１および第２の実施例では、下部波形プレート３がシューズの踵部にのみまたは前足部にのみ配設された例を示したが、本発明の適用はこれに限定されない。下部波形プレート３は、図６に示すように、踵部および前足部の双方に設けられていてもよく、または図７に示すように、踵部Ｈから中足部Ｍをへて前足部Ｆまで延設されていてもよい。なお、これらの図において、前記各実施例と同一符号は、同一または相当部分を示している。
【００７９】
図６において、上部プレート２は、踵部から中足部をへて前足部まで延設されており、シューズの踵部において上部プレート２の下方には、図４と同様の下部波形プレート３１が配設され、前足部Ｆにおいて上部プレート２の下方には、図５と同様の下部波形プレート３２が配設されている。
【００８０】
この場合には、下部波形プレート３１および３２間で硬度を変える、例えば下部波形プレート３１の硬度を下部波形プレート３２の硬度よりも高くすることで、シューズの踵部を硬めにして踵部の安定性を向上できるとともに、シューズの前足部を柔らかめにして前足部の屈曲性を向上できる。
【００８１】
図７において、下部波形プレート３は、シューズの中足部に配設された下凸状膨出部３９を有しており、この下凸状膨出部３９を介して、シューズの踵部分に配設された下部波形プレート３および前足部に配設された下部波形プレート３が一体に連結されている。
【００８２】
図７Ａおよび図７Ｂに示すように、下部波形プレート３の上面において、当該下部波形プレート３の波形状の前後端の上側凸部に対応する位置、および波形状の各上凸状膨出部に対応する位置には、上部プレート２の下面に形成された各隆起部２０〜２３に当接する略平坦状の当接面を有する当接部３２〜３４、３６〜３８が下部波形プレート３の外周に沿って設けられている。これらの当接部３２〜３４、３６〜３８には、ネジ１０の雄ネジ部が挿通する貫通孔３ａが形成されている。
【００８３】
＜第４の実施例＞
前記第１ないし第３の実施例では、上部プレート２が踵部から中足部をへて前足部まで延設されているか、あるいは踵部のみまたは前足部のみに配設された例を示したが、本発明は、図８に示すように、上部プレート２が、踵部および前足部の双方に配設されるとともに、踵部および前足部の間で分離されているものにも適用できる。なお、同図において、前記各実施例と同一符号は、同一または相当部分を示している。
【００８４】
図８において、上部プレート２は、踵部に配設された上部プレート２１と、前足部に配設された上部プレート２２とを有している。一方、中足部において、ミッドソール８には、下方に突出する凸部８０が形成されており、当該凸部８０は、上部プレート２１および２２間の間隙に配置されている。
【００８５】
この場合には、上部プレート２１および２２間で硬度を変える、例えば上部プレート２１の硬度を上部プレート２２の硬度よりも高くすることで、シューズの踵部を硬めにして踵部の安定性を向上できるとともに、シューズの前足部を柔らかめにして前足部の屈曲性を向上できる。
【００８６】
＜第５の実施例＞
前記第１の実施例では、前足部において、上部プレート２の幅方向中央部分が平坦状に形成されるとともに、内甲側および外甲側部分が前後方向に進む波形状を有している例を示したが、上部プレート２は、前後方向に進む波形状を幅方向全体にわたって（つまり当該上部プレート２の全域に）有していてもよい。
【００８７】
図９および図１０は、このような上部プレートを有するソール構造体の概略構成を示している。なお、これらの図において、前記各実施例と同一符号は、同一または相当部分を示している。各上部プレート２の下方には、下部波形プレート３が配設されている。
【００８８】
図９においては、上部プレート２の波形状は下部波形プレート３の波形状と逆位相になっており、下部波形プレート３の波形状の下凸状膨出部３Ａと対向する位置には、上部プレート２の波形状の上凸状膨出部２Ｂが配置されている。そして、上部プレート２の波形状において前後方向（図９左右方向）に隣り合う各上凸状膨出部２Ｂの間の各下凸状膨出部２Ａと、下部波形プレート３の波形状において前後方向（同図左右方向）に隣り合う各下凸状膨出部３Ａの間の各上凸状膨出部３Ｂとが、ネジ１０により連結されている。
【００８９】
図１０においては、上部プレート２の波形状は下部波形プレート３の波形状と同位相になっており、下部波形プレート３の波形状の下凸状膨出部３Ａと対向する位置には、上部プレート２の波形状の下凸状膨出部２Ａが配置されている。そして、上部プレート２の波形状において前後方向（図１０左右方向）に隣り合う各下凸状膨出部２Ａの間の各上凸状膨出部２Ｂの下面と、下部波形プレート３の波形状において前後方向（同図左右方向）に隣り合う各下凸状膨出部３Ａの間の各上凸状膨出部３Ｂとが、ネジ１０により連結されている。
【００９０】
図９の場合には、上部プレート２の上凸状膨出部２Ｂおよび下部波形プレート３の下凸状膨出部３Ａの間に紡錘状の大きな空隙Ｃが形成されており、着地の際の衝撃荷重の作用時には、上部プレート２および下部波形プレート３の双方が圧縮変形することになるので、シューズのクッション性を向上できる。また、この場合、着地時における下部波形プレート３からの突上げは、上部プレート２の隣り合う各上凸状膨出部２Ｂの間の下凸状膨出部２Ａに作用するので、上部プレート２への突上げを分散・緩和できる。このようなソール構造体は、シューズのとくに踵領域に好適である。
【００９１】
図１０の場合には、上部プレート２の下凸状膨出部２Ａおよび下部波形プレート３の下凸状膨出部３Ａの間に形成される空隙Ｃ’は小さいが、上部プレート２および下部波形プレート３の各上凸状膨出部２Ｂ、３Ｂおよび各下凸状膨出部２Ａ、３Ａが前後方向の同じ位置に配置されており、別の言い方をすれば、同じ前後方向位置において上部プレート２および下部波形プレート３の対応する各凸状膨出部が同じ向きに配置されているので、着地後前方に荷重が移動していく際のシューズの屈曲性を向上できる。このようなソール構造体は、シューズのとくに前足領域に好適である。
【００９２】
これに対して、上部プレート２が平坦形状を有している場合には、図１１に示すように、下部波形プレート３の各上凸状膨出部３Ｂが上部プレート２の下面２Ｃにネジ１０を介して連結されている。このとき、上部プレート２および下部波形プレート３の間に形成される空隙Ｃ０は、図９の空隙Ｃよりも小さく、図１０の空隙Ｃ’よりも大きくなっている。この場合には、着地時のクッション性は図１０よりも優れているが図９よりも劣っており、着地後の屈曲性は図９よりも優れているが図１０よりも劣っている。
【００９３】
＜第６の実施例＞
前記第５の実施例では、上部プレート２および下部波形プレート３がいずれもシューズ前後方向に進む波形状を有している場合を例にとって説明したが、本発明の適用はこれに限定されない。
【００９４】
図１２および図１３は本発明の第６の実施例によるソール構造体の上部プレートおよび下部波形プレートを示している。なお、これらの図において、前記各実施例と同一符号は、同一または相当部分を示している。図１２に示すように、上部プレート２は、シューズ幅方向（矢印方向）に進む波形状を有しており、当該波形状は、交互に配置された下凸状膨出部２Ａおよび上凸状膨出部２Ｂから構成されている。下部波形プレート３は、シューズ前後方向（矢印方向）に進む波形状を有しており、当該波形状は、交互に配置された下凸状膨出部３Ａおよび上凸状膨出部３Ｂから構成されている。
【００９５】
図１３に示すように、上部プレート２の下凸状膨出部２Ａの稜線Ｌは、断続的に下部波形プレート３の上凸状膨出部３Ｂに当接している。また、これらの当接個所の一部がネジ１０を介して互いに連結されている。同様に、下部波形プレート３の上凸状膨出部３Ｂの稜線Ｌ’は、断続的に上部波形プレート２の下凸状膨出部２Ａに当接している。
【００９６】
この場合には、上部プレート２および下部波形プレート３の各波形状の稜線Ｌ、Ｌ’が上部プレート２および下部波形プレート３間で互いに交差しており、これにより、シューズのソール構造体の屈曲を規制できる。このようなソール構造体は、シャンク効果を要求される、とくにシューズ中足領域に好適である。
【００９７】
＜第７の実施例＞
図１４ないし図１６に示すように、本発明は、上部プレート３が前後方向のみならず幅方向にも進む複合波形状を有しているものにも適用できる。なお、これらの図において、前記各実施例と同一符号は、同一または相当部分を示している。
【００９８】
図１４に示すソール構造体１は、前記第３の実施例の図７に示すソール構造体１において、上部プレート２が複合波形状を有するものに実質的に相当している。上部プレート２は、図１４および図１５に示すように、シューズの踵部から中足部をへて前足部にかけて前後方向に進む波形状を幅方向全体にわたって有している。また、上部プレート２は、図１６に示すように、シューズの幅方向に進む波形状を有している。したがって、この場合には、上部プレート２に形成された波形状は、シューズの前後方向に進みつつ、シューズの幅方向にも進んでいることになる。
【００９９】
図１５および図１５Ａに示すように、上部プレート２の下面において、当該上部プレート２の前後端の上側凸部に対応する位置、前足部の波形状の各上凸状膨出部に対応する位置、および後足部の波形状の各下凸状膨出部に対応する位置には、下部波形プレート３の上面に形成された各当接部３２〜３４、３６〜３８に当接する略平坦状の当接面を有する隆起部２０〜２３が上部プレート２の外周に沿って設けられている。これらの隆起部２０〜２３には、ネジ１０の雄ネジ部１０ｂが螺合する雌ネジ２ａが形成されている。
【０１００】
図１４に示すように、上部プレート２の前後方向の波形状に関し、踵部においては、下部波形プレート３の波形状と逆位相になっており、また前足部においては、下部波形プレート３の波形状と同位相になっている。
【０１０１】
この場合には、踵部においては、上部プレート２および下部波形プレート３間に大きな空隙が形成されているが、このとき、上部プレート２の波形状が前後方向のみならず幅方向にも延びる複合波形状を有しているので、上部プレート２の圧縮変形量が抑制されるようになっている。このため、シューズの踵着地時には、踵部のクッション性は、上部プレート２の波形状が前後方向のみに延びている場合（図９参照）に比べて低くなるものの、安定性が向上している。
【０１０２】
また、前足部においては、上部プレート２および下部波形プレート３が同位相の波形状を有しているが、このとき、上部プレート２の波形状が前後方向のみならず幅方向にも延びる複合波形状を有しているので、上部プレート２の屈曲性が抑制されるようになっている。このため、シューズ前足部の屈曲時および離地時には、前足部の屈曲性は、上部プレート２の波形状が前後方向のみに延びている場合（図１０参照）に比べて小さくなるものの、前足部の剛性が増しており、その結果、蹴り出し時のいわゆるスナッピー性が向上している。
【０１０３】
なお、この第７の実施例では、上部プレート２の波形状に関し、上部プレート２の前後方向および幅方向の全体（つまり上部プレート２の全域）にわたって、前後方向に進む波形状および幅方向に進む波形状が複合形状として組み合わされた例を示したが、本発明は、上部プレート２における前後方向の波形状および幅方向の波形状が、上部プレート２の領域においてそれぞれ別個に偏在しているものにも適用できる。
【０１０４】
この場合には、上部プレート２において、シューズ前後方向に進む波形状を有する部分では、その位相に応じて、下部波形プレート３と逆位相であればシューズのクッション性を向上でき、下部波形プレート３と同位相であればシューズの屈曲性を向上できる。また、上部プレート２において、シューズの幅方向に進む波形状を有する部分では、シューズの屈曲性を規制できる。
【０１０５】
また、図１５において、各隆起部２０〜２３はシューズ前後方向に長く延びていてもよく、このとき、これらの各隆起部２０〜２３に対応する下部波形プレート３の各当接部３２〜３４、３６〜３８（図７Ａ参照）は、シューズ幅方向に長く延びていてもよい。
【０１０６】
上部プレート２および下部波形プレート３の接合時には、対応する隆起部および当接部の各接触領域が接合面となるが、このとき、いずれかの接合面がネジ１０により締結されていない場合でも、隆起部および当接部が互いに交差する方向に延設されていることにより、シューズの使用時に隆起部および当接部のいずれかが他方からずれ落ちるのを防止できる。また、この場合、上部プレート２の各隆起部２０〜２３が当該上部プレート２の前後方向の変形を規制し、下部プレート３の各当接部３２〜３４、３６〜３８が当該下部プレート３の幅方向の変形を規制するので、ソール構造体全体の安定性を向上できる。
【０１０７】
＜第８の実施例＞
前記第１〜５および第７の実施例においては、下部波形プレートの各上側凸部および各上凸状膨出部のすべての稜線が上部プレート２に固着された例を示したが（図９ないし図１１参照）、本発明の適用はこれに限定されない。
【０１０８】
図１７ないし図２１は、本発明の第８の実施例によるソール構造体を示している。なお、これらの図において、前記各実施例と同一符号は、同一または相当部分を示している。図１７は上部プレート２が平坦形状の例を、図１８は上部プレート２の波形状が下部波形プレート３の波形状と逆位相の例を、図１９は上部プレート２の波形状が下部波形プレート３の波形状と同位相の例をそれぞれ示している。
【０１０９】
図１７ないし図１９に示すように、下部波形プレート３の各上凸状膨出部３Ｂは、その一部が、ネジ１０により上部波形プレート２の下面２Ｃ、下凸状膨出部２Ａまたは上凸状膨出部２Ｂの下面に連結されており、残りの上凸状膨出部３Ｂは、上部プレート２の下面２Ｃ、下凸状膨出部２Ａまたは上凸状膨出部２Ｂの下面に対してネジ１０を介して連結されておらず、単に当接しているだけである。
【０１１０】
この場合には、圧縮荷重の作用時に、下部波形プレート３の各上凸状膨出部３Ｂのうち上部プレート２に連結されていない上凸状膨出部３Ｂは、上部プレート２の下面２Ｃ、下凸状膨出部２Ａまたは上凸状膨出部２Ｂの下面に沿って滑動する。これにより、下部波形プレート３の前後方向および上下方向の大きな変形が容易になって、クッション性を向上できる。この場合には、体重の軽い競技者に好適のシューズを実現できる。
【０１１１】
これに対して、図９ないし図１１に示すように、下部波形プレート３の各上凸状膨出部３Ｂのすべてがネジ１０を介して上部プレート２に連結されている場合には、荷重作用時の圧縮硬度が高くなるので、体重の重い競技者に好適のシューズを実現できる。
【０１１２】
＜第９の実施例＞
前記第８の実施例では、下部波形プレート３の一部の上凸状膨出部３Ｂをネジ１０を介して上部プレート２に連結しないことにより、当該上凸状膨出部３Ｂが上部プレート２の下面に沿って滑動するようにした例を示したが、本発明の適用はこれに限定されない。
【０１１３】
図２０は、本発明の第９の実施例を示している。なお、同図において、前記各実施例と同一符号は、同一または相当部分を示している。図２０に示すように、下部波形プレート３のネジ取付部分には、前後方向（同図左右方向）に延びる長孔状の貫通孔３ｅが形成されている。ネジ１０の頭部１０ａは、貫通孔２ｅの開口縁部に当接している。また、ネジ１０の雄ネジ部１０ｂは、下部波形プレート３の貫通孔３ｅを挿通するとともに、上部プレート２に埋設されたナット部材１１の雌ネジ部２ａに螺合している。ネジ１０の雄ネジ部１０ｂと貫通孔３ｅとの間には、前後方向の間隙が形成されている。
【０１１４】
この場合には、ネジ１０を介して上部プレート２および下部波形プレート３が連結されるとともに、上部プレート２および下部波形プレート３の前後方向の相対移動が許容されているので、圧縮荷重の作用時には、上部プレート２および（または）下部波形プレート３が前後方向に滑動でき、これにより、上部プレート２および（または）下部波形プレート３の前後方向および上下方向の変形が容易になって、クッション性を向上できる。
【０１１５】
＜第１０の実施例＞
前記各実施例では、下部波形プレート３を上部プレート２に連結する締結具として、ネジ１０およびこれが螺合する雌ネジ部２ａを用いた例を示したが、本発明の適用はこれに限定されない。
【０１１６】
図２１は、本発明の第１０の実施例による締結具を示している。同図に示すように、この締結具は、下部波形プレート３の上凸状膨出部３Ｂに形成された断面略Ｔ字状の係止突起部３ｐと、上部プレート２の下面に形成され、下部波形プレート３の係止突起部３ｐが係脱自在に係止し得る係止溝部２ｇとから構成されている。
【０１１７】
下部波形プレート３を上部プレート２に連結する際には、下部波形プレート３の係止突起部３ｐを上部プレート２の係止溝部２ｇに係止させることで、下部波形プレート３が上部プレート２に取り付けられ、また、下部波形プレート３の係止突起部３ｐを係止溝部２ｇから外すことで、下部波形プレート３が上部プレート２から取り外される。この場合には、ネジを締め付けたりまた緩めたりする作業が不要となるので、下部波形プレート３の着脱を一層簡単に行えるようになる。
【０１１８】
＜第１１の実施例＞
図２２ないし図２４は、本発明の第１１の実施例によるソール構造体を示している。なお、これらの図において、前記各実施例と同一符号は同一または相当部分を示している。このソール構造体１は、下部波形プレート３と上部プレート２との間に中間波形プレート１００が挿入されている点が前記第１の実施例と異なっている。
【０１１９】
図２２および図２４に示すように、中間波形プレート１００は、下部波形プレート３と同様の硬質弾性部材製の薄板からなり、シューズ前後方向に進む波形状を有している。ここでは、中間波形プレート１００は、シューズの内甲側に沿って配設された内甲側波形プレート部１０１と、シューズの外甲側に沿って配設された外甲側波形プレート部１０２とから構成されている。図２３に明確に示されているように、内甲側波形プレート部１０１および外甲側波形プレート部１０２は、シューズ幅方向（同図上下方向）に分離されている。内甲側波形プレート部１０１および外甲側波形プレート部１０２には、ネジ１０の雄ネジ部１０ｂが挿通する貫通孔１０１ａおよび１０２ａがそれぞれ形成されるとともに、長手方向に沿って複数のリブ１０１ｂおよび１０２ｂがそれぞれ形成されている。
【０１２０】
内甲側波形プレート部１０１および外甲側波形プレート部１０２の各波形状は、下部波形プレート３の上面に沿って配設されており、下部波形プレート３の上面には、各波形プレート部１０１および１０２の下面全体が当接している。各波形プレート部１０１、１０２は、下部波形プレート３とともに上部プレート２に対してネジ１０により着脱自在に設けられている。
【０１２１】
この場合には、上部プレート２および下部波形プレート３間に中間波形プレート１００が設けられるので、中間波形プレート１００として、下部波形プレート３と異なる素材のものを用いたり、また板厚を変えたりすることにより、ソール構造体全体としてのクッション性（つまり衝撃吸収性および反発性）を調整できる。
【０１２２】
例えば登山の際には、上り用および下り用として、剛性の異なる２種類の中間波形プレート１００を用意しておき、上りおよび下りで中間波形プレート１００を適宜使い分ける（例えば、上りでは反発性の高い方を用い、下りでは衝撃吸収性の高い方を用いる）ことにより、着用者の足への負担を軽減できる。あるいは、上り用および下り用として、踵部位の板厚の異なる２種類の中間波形プレート１００を用意しておき、上りおよび下りで中間波形プレートを適宜使い分ける（例えば、上りでは踵部位の板厚の厚い方を用い、下りでは踵部位の板厚の薄い方を用いる、あるいは、山の傾斜に合わせて使い分ける）ことにより、着用者の歩行が楽に行えるようになる。
【０１２３】
さらに、この場合には、下部波形プレート３の交換時に同時に中間波形プレート１００をも交換できるばかりでなく、下部波形プレート３または中間波形プレート１００をそれぞれ単体で交換することも可能であり、これにより、ユーザーの多様な好みに応じたシューズを簡単に製作できる。
【０１２４】
また、この場合には、内甲側波形プレート部１０１および外甲側波形プレート部１０２を互いに剛性が異なる素材から構成することが簡単に行え、これにより、シューズの内甲側および外甲側間で着地時の圧縮硬度を簡単に変えられるようになる。その結果、着用者の足の過回内（オーバプロネーション）または過回外（オーバサピネーション）に対応したシューズを簡単に製作できる。
【０１２５】
＜第１２の実施例＞
図２５は、本発明の第１２の実施例によるソール構造体を示している。なお、同図において、前記各実施例と同一符号は、同一または相当部分を示している。このソール構造体においては、シューズの踵部において、上部プレート２および下部波形プレート３間に形成される空隙Ｃ内に軟質弾性部材９が挿入されている。軟質弾性部材９としては、例えば、衝撃吸収性に優れた合成ゴムや合成樹脂またはその発泡体（つまり低反発フォーム材）が好ましい。なお、軟質弾性部材９自体の反発性の調整は、ゴムや樹脂の種類を変えたり、発泡率を変えたりするなどして対応できる。
【０１２６】
軟質弾性部材９は、その前後方向中央部において幅方向端部に切欠き９ｎを有している。これらの切欠き９ｎの形成位置は、前記第１の実施例におけるアウトソール５、６間の間隙７の位置に対応しており、切欠き９ｎ内にはネジ１０が配置されている。また、軟質弾性部材９の前方および後方にもそれぞれネジ１０が配置されている。
【０１２７】
この場合には、図２５に示す軟質弾性部材９の上に上部プレート２を載せて、各ネジ１０を締め付けたとき、軟質弾性部材９が上部プレート２および下部波形プレート３間の空隙Ｃ内で圧縮されることで、空隙Ｃ内に充填されることになる。このとき、空隙Ｃ内において、軟質弾性部材９の前方、後方および側方にはネジ９が配設されているので、軟質弾性部材９が空隙Ｃから脱落することはない。
【０１２８】
下部波形プレート３の弾性変形時には、空隙Ｃ内の軟質弾性部材９も弾性変形するので、軟質弾性部材９を入れることで、クッション性を調整できる。また、軟質弾性部材９を入れることで、下部波形プレート３に過大な圧縮荷重が作用したときに、下部波形プレート３が扁平に押しつぶされて底付きを起こすのを防止できる。さらに、空隙Ｃ内に泥や水が浸入するのを防止でき、走行時の泥はねや水はねを防止できる。
【０１２９】
なお、軟質弾性部材９には、冷却用の複数の溝９ｇが形成されているが、これらの溝９ｇに係合する突条部を予め上部プレート２に形成しておくようにすれば、上部プレート２を取り付けた時に、上部プレート２および下部波形シート３間の空隙Ｃから軟質弾性部材９が脱落するのをより確実に防止できる。
【０１３０】
上述した前記第１〜５および前記第７〜１２の各実施例では、上部プレート２のシューズ幅方向の横断面形状が直線状である場合を示したが、本発明は、上部プレート２の内甲側および外甲側縁部が上方に立ち上がる立壁部を有するものにも適用できる。
【０１３１】
この場合、上部プレート２の立壁部をシューズのミッドソール側面またはアッパー側面に固着するようにすれば、当該立壁部がスタビライザーとして作用して、走行安定性を向上できるとともに、フィット感を向上でき、またアッパーの変形を抑制できる。
【産業上の利用可能性】
【０１３２】
以上のように、本発明は、シューズ用ソール構造体に有用であり、とくに靴底の交換を安価かつ簡単に行いたいとするユーザーに適している。
【符号の説明】
【０１３３】
１：  ソール構造体
２、２１、２２：  上部プレート
２ａ：  雌ネジ部（締結具）
３、３１、３２：  下部波形プレート
３０、３１：  下凸状膨出部
３２：  上凸状膨出部
３３、３４：  上側凸部
９：  軟質弾性部材
１０：  ネジ（締結具）
１０ｂ：  雄ネジ部
１００：  中間波形プレート
１０１：  内甲側波形プレート部
１０２：  外甲側波形プレート部
【先行技術文献】
【特許文献】
【０１３４】
【特許文献１】特開平７−２０４００７号公報（図１、段落［００１３］〜［００１４］参照）
【特許文献２】特開平９−７５１０７号公報（図１〜図３、段落［００３０］、［００３２］参照）。
【図１】
2011010946.tif 000003
【図２】
2011010946.tif 000004
【図３】
2011010946.tif 000005
【図３Ａ】
2011010946.tif 000006
【図４】
2011010946.tif 000007
【図５】
2011010946.tif 000008
【図６】
2011010946.tif 000009
【図７】
2011010946.tif 000010
【図７Ａ】
2011010946.tif 000011
【図７Ｂ】
2011010946.tif 000012
【図８】
2011010946.tif 000013
【図９】
2011010946.tif 000014
【図１０】
2011010946.tif 000015
【図１１】
2011010946.tif 000016
【図１２】
2011010946.tif 000017
【図１３】
2011010946.tif 000018
【図１４】
2011010946.tif 000019
【図１５】
2011010946.tif 000020
【図１５Ａ】
2011010946.tif 000021
【図１６】
2011010946.tif 000022
【図１７】
2011010946.tif 000023
【図１８】
2011010946.tif 000024
【図１９】
2011010946.tif 000025
【図２０】
2011010946.tif 000026
【図２１】
2011010946.tif 000027
【図２２】
2011010946.tif 000028
【図２３】
2011010946.tif 000029
【図２４】
2011010946.tif 000030
【図２５】
2011010946.tif 000031